(57)【要約】【課題】光コネクタアダプタからの光コネクタプラグの誤脱を防止することができる光コネクタ誤脱防止部材を提供する。【解決手段】光コネクタ誤脱防止部材１は、光コネクタアダプタ３に光コネクタプラグ２が嵌合された状態で光コネクタアダプタ３の内壁面と光コネクタプラグ２の外壁面との間に挿入され、光コネクタアダプタ３からの光コネクタプラグ２の離脱を防止する離脱防止部２０と、離脱防止部２０の一端側に配置されるように離脱防止部２０と一体化され、光コネクタプラグ２に関する情報が表示される情報表示部２１とを備える。【選択図】図３
2016170312.tif 000002
【特許請求の範囲】
【請求項１】
光コネクタアダプタに光コネクタプラグが嵌合された状態で前記光コネクタアダプタの内壁面と前記光コネクタプラグの外壁面との間に挿入され、前記光コネクタアダプタからの前記光コネクタプラグの離脱を防止する離脱防止部と、
前記離脱防止部の一端側に配置されるように前記離脱防止部と一体化され、前記光コネクタプラグに関する情報が表示される情報表示部とを備える光コネクタ誤脱防止部材。
【請求項２】
前記情報表示部に対して前記離脱防止部の反対側に配置されるように前記情報表示部と一体化され、前記光コネクタアダプタに装着されるキャップ部を更に備える請求項１記載の光コネクタ誤脱防止部材。
【請求項３】
前記離脱防止部は、前記光コネクタアダプタの内壁面と前記光コネクタプラグの外壁面との間から前記離脱防止部が抜け出るときに、前記光コネクタプラグに当接するストッパを有する請求項１または２記載の光コネクタ誤脱防止部材。
【請求項４】
前記情報表示部には、前記光コネクタアダプタの内壁面と前記光コネクタプラグの外壁面との間に前記離脱防止部が挿入されたときに、前記光コネクタプラグを両側から挟む少なくとも２つの張出部が設けられている請求項１〜３のいずれか一項記載の光コネクタ誤脱防止部材。
【請求項５】
前記情報表示部には、前記光コネクタプラグに組み付けられた光コードを通す突起部が設けられている請求項１〜４のいずれか一項記載の光コネクタ誤脱防止部材。
【請求項６】
前記離脱防止部及び前記情報表示部は一体成形されている請求項１〜５のいずれか一項記載の光コネクタ誤脱防止部材。
【発明の詳細な説明】
【技術分野】
【０００１】
本発明は、光コネクタアダプタからの光コネクタプラグの誤脱を防止する光コネクタ誤脱防止部材に関する。
【背景技術】
【０００２】
従来の光コネクタ誤脱防止部材としては、例えば特許文献１に記載されている技術が知られている。特許文献１に記載の光コネクタ誤脱防止部材は、光コネクタプラグのブーツの後縁部に落下防止用のベルトを介して一体成形されたキャップを有している。ブーツのブーツ突起の上部に設けられた係止凹部にキャップの切欠嵌合部が係合することにより、ブーツの引抜が阻止され、ツマミの移動が制限される。これにより、光コネクタアダプタからの光コネクタプラグの誤脱を未然に防止することができる。
【先行技術文献】
【特許文献】
【０００３】
【特許文献１】特開２０１３−２５４０９２号公報
【発明の概要】
【発明が解決しようとする課題】
【０００４】
ところで、複数の光コネクタプラグが光コネクタアダプタに嵌合される場合には、光コネクタプラグを間違えて光コネクタアダプタから取り外さないように、例えば接続先または識別番号等が記載されたタグが光コードに取り付けられることがある。しかし、複数本の光コードが輻輳している状況下では、光コネクタプラグとタグとの関係性が把握しにくい。このため、本来取り外すべき光コネクタプラグとは異なる光コネクタプラグを光コネクタアダプタから取り外してしまう、いわゆる光コネクタプラグの誤脱が発生する可能性がある。
【０００５】
本発明の目的は、光コネクタアダプタからの光コネクタプラグの誤脱を防止することができる光コネクタ誤脱防止部材を提供することである。
【課題を解決するための手段】
【０００６】
本発明の一側面に係る光コネクタ誤脱防止部材は、光コネクタアダプタに光コネクタプラグが嵌合された状態で光コネクタアダプタの内壁面と光コネクタプラグの外壁面との間に挿入され、光コネクタアダプタからの光コネクタプラグの離脱を防止する離脱防止部と、離脱防止部の一端側に配置されるように離脱防止部と一体化され、光コネクタプラグに関する情報が表示される情報表示部とを備える。
【発明の効果】
【０００７】
本発明によれば、光コネクタアダプタからの光コネクタプラグの誤脱を防止することができる光コネクタ誤脱防止部材が提供される。
【図面の簡単な説明】
【０００８】
【図１】第１実施形態に係る光コネクタ誤脱防止部材の外観を示す斜視図である。
【図２】光コネクタアダプタに光コネクタプラグが嵌合された状態を示す斜視図である。
【図３】図１に示された光コネクタ誤脱防止部材を嵌合状態の光コネクタプラグ及び光コネクタアダプタに装着する途中の状態を示す斜視図である。
【図４】図１に示された光コネクタ誤脱防止部材が嵌合状態の光コネクタプラグ及び光コネクタアダプタに装着された状態を示す斜視図である。
【図５】図１に示された光コネクタ誤脱防止部材が嵌合状態の光コネクタプラグ及び光コネクタアダプタに装着された状態を示す平面図及び断面図である。
【図６】図５のＡ部拡大断面図である。
【図７】図１に示されたキャップ部が光コネクタアダプタに装着された状態を示す斜視図である。
【図８】図１に示された光コネクタ誤脱防止部材が使用される形態の一つとして光コネクタユニットを示す斜視図である。
【図９】第２実施形態に係る光コネクタ誤脱防止部材の外観を示す斜視図である。
【図１０】図９に示された光コネクタ誤脱防止部材が嵌合状態の光コネクタプラグ及び光コネクタアダプタに装着された状態を示す斜視図である。
【図１１】図９に示された光コネクタ誤脱防止部材の正面図である。
【発明を実施するための形態】
【０００９】
[本発明の実施形態の説明]
最初に、本発明の実施形態を列記して説明する。
【００１０】
本発明の一側面に係る光コネクタ誤脱防止部材は、光コネクタアダプタに光コネクタプラグが嵌合された状態で光コネクタアダプタの内壁面と光コネクタプラグの外壁面との間に挿入され、光コネクタアダプタからの光コネクタプラグの離脱を防止する離脱防止部と、離脱防止部の一端側に配置されるように離脱防止部と一体化され、光コネクタプラグに関する情報が表示される情報表示部とを備える。
【００１１】
このような光コネクタ誤脱防止部材においては、光コネクタアダプタに光コネクタプラグが嵌合された状態で、光コネクタアダプタの内壁面と光コネクタプラグの外壁面との間に離脱防止部を挿入することにより、光コネクタアダプタからの光コネクタプラグの離脱が防止される。また、光コネクタプラグに関する情報が表示される情報表示部が離脱防止部の一端側に配置されるように離脱防止部と一体化されていることにより、光コネクタアダプタに光コネクタプラグが嵌合された状態では、情報表示部は光コネクタプラグ上に位置することとなる。このため、作業者は、本来取り外すべき光コネクタプラグを容易に且つ正確に把握することが可能となる。従って、本来取り外すべき光コネクタプラグ上に位置する光コネクタ誤脱防止部材とは異なる光コネクタ誤脱防止部材の離脱防止部を、作業者が誤って光コネクタアダプタの内壁面と光コネクタプラグの外壁面との間から抜き出してしまうことが防止される。以上により、光コネクタアダプタからの光コネクタプラグの誤脱を防止することができる。
【００１２】
光コネクタ誤脱防止部材は、情報表示部に対して離脱防止部の反対側に配置されるように情報表示部と一体化され、光コネクタアダプタに装着されるキャップ部を更に備えてもよい。光コネクタプラグが光コネクタアダプタに嵌合されていないときは、光コネクタアダプタにキャップ部を装着することで、光コネクタアダプタ内に塵等が入ることが防止される。
【００１３】
離脱防止部は、光コネクタアダプタの内壁面と光コネクタプラグの外壁面との間から離脱防止部が抜け出るときに、光コネクタプラグに当接するストッパを有してもよい。例えば光コネクタ誤脱防止部材の振動等によって、離脱防止部が光コネクタアダプタの内壁面と光コネクタプラグの外壁面との間から抜け出ようとしても、ストッパが光コネクタプラグに当たる。従って、離脱防止部が光コネクタアダプタの内壁面と光コネクタプラグの外壁面との間から容易に抜け出ることが防止される。これにより、光コネクタアダプタからの光コネクタプラグの離脱が一層防止される。
【００１４】
情報表示部には、光コネクタアダプタの内壁面と光コネクタプラグの外壁面との間に離脱防止部が挿入されたときに、光コネクタプラグを両側から挟む少なくとも２つの張出部が設けられていてもよい。この場合には、光コネクタアダプタの内壁面と光コネクタプラグの外壁面との間に離脱防止部が挿入されたときに、光コネクタプラグの側方への情報表示部の動きが張出部によって拘束される。これにより、情報表示部が光コネクタプラグに対して光コネクタプラグの側方へずれ動くことが防止される。
【００１５】
情報表示部には、光コネクタプラグに組み付けられた光コードを通す突起部が設けられていてもよい。この場合には、離脱防止部が光コネクタアダプタの内壁面と光コネクタプラグの外壁面との間から抜け出ても、光コネクタ誤脱防止部材は光コードに保持されたままの状態となるため、光コネクタ誤脱防止部材が光コードから外れることが防止される。
【００１６】
離脱防止部及び情報表示部は一体成形されていてもよい。この場合には、離脱防止部及び情報表示部を有する光コネクタ誤脱防止部材を容易に製造することができる。
[本発明の実施形態の詳細]
以下、本発明の実施形態について、図面を参照して詳細に説明する。なお、図面において、同一または同等の要素には同じ符号を付し、重複する説明を省略する。
【００１７】
図１は、第１実施形態に係る光コネクタ誤脱防止部材の外観を示す斜視図である。本実施形態の光コネクタ誤脱防止部材１は、図２に示されるような光コネクタプラグ２及び光コネクタアダプタ３に適用される。光コネクタプラグ２は、光コネクタアダプタ３に嵌合される。図２は、光コネクタアダプタ３に光コネクタプラグ２が嵌合された状態を示す斜視図である。光コネクタプラグ２及び光コネクタアダプタ３は、何れも正面視で略矩形状を有している。
【００１８】
光コネクタ誤脱防止部材１は、図３〜図５に示されるように、嵌合状態の光コネクタプラグ２及び光コネクタアダプタ３に装着される。図３は、嵌合状態の光コネクタプラグ２及び光コネクタアダプタ３に光コネクタ誤脱防止部材１を装着する途中の状態を示す斜視図である。図４は、嵌合状態の光コネクタプラグ２及び光コネクタアダプタ３に光コネクタ誤脱防止部材１が装着された状態を示す斜視図である。図５（ａ）は、嵌合状態の光コネクタプラグ２及び光コネクタアダプタ３に光コネクタ誤脱防止部材１が装着された状態を示す平面図であり、図５（ｂ）は、図５（ａ）のＢ−Ｂ線断面図である。
【００１９】
図２〜図５において、光コネクタプラグ２は、光コード４の先端部の外被を除去して露出された光ファイバ（図示せず）を機械的に固定するメカニカルスプライス５と、このメカニカルスプライス５の前部に固定され、光コード４の光ファイバと接続される内蔵ファイバ（図示せず）を保持するフェルール６と、メカニカルスプライス５及びフェルール６を収容するプラグハウジング７と、このプラグハウジング７の一部を覆うツマミ８と、メカニカルスプライス５の後方に配置され光コード４の外被を固定する外被固定部（図示せず）を収容する収容体９とを備えている。収容体９は、プラグハウジング７の後部に固定されている。ツマミ８は、プラグハウジング７に対して前後方向に所定量だけスライド可能である。
【００２０】
光コネクタアダプタ３は、フェルール６が挿入される挿通孔１０ａを有するアダプタ本体１０と、このアダプタ本体１０を収容するアダプタハウジング１１とを備えている。アダプタハウジング１１内には、光コネクタプラグ２の前部が挿入される。
【００２１】
アダプタ本体１０は、図５及び図６に示されるように、光コネクタプラグ２が挿入される開口側に延在し、プラグハウジング７を係止する１対の弾性ラッチ部１２を有している。図６は、図５（ｂ）のＡ部拡大断面図である。弾性ラッチ部１２の先端部には、爪１２ａが設けられている。弾性ラッチ部１２は、プラグハウジング７に設けられた突起部７ａに爪１２ａが引っ掛かることで、プラグハウジング７を係止する。
【００２２】
なお、ツマミ８の左右両側にはテーパ部８ａが形成されていると共に、各弾性ラッチ部１２には、テーパ部８ａと係合する突起（図示せず）が設けられている。プラグハウジング７が１対の弾性ラッチ部１２により係止されている状態で、ツマミ８をプラグハウジング７に対して後側にスライドさせると、テーパ部８ａ及び突起を介して弾性ラッチ部１２が付勢力に抗してアダプタハウジング１１側に動くようになり、弾性ラッチ部１２とプラグハウジング７との係止が解除される。
【００２３】
図１に戻り、光コネクタ誤脱防止部材１は、離脱防止部２０と、情報表示部２１と、キャップ部２２とを備えている。情報表示部２１は、離脱防止部２０とキャップ部２２との間に配置されている。離脱防止部２０、情報表示部２１及びキャップ部２２は、例えば射出成型によって一体成形されている。
【００２４】
光コネクタ誤脱防止部材１は、柔らかく、変形しやすく、割れにくい材料からなっている。そのような材料としては、ポリプロピレン、ポリアミド、ポリアセタール、ポリカーボネートまたはＡＢＳ樹脂（アクリロニトリル、ブタジエン、スチレン共重合合成樹脂）等が挙げられる。
【００２５】
離脱防止部２０は、図３〜図５に示されるように、光コネクタアダプタ３に光コネクタプラグ２が嵌合された状態で光コネクタアダプタ３の内壁面と光コネクタプラグ２の外壁面との間に挿入され、光コネクタアダプタ３からの光コネクタプラグ２の離脱を防止する機能を有する。具体的には、離脱防止部２０は、アダプタハウジング１１の一内壁面とツマミ８の対応する外壁面との間に挿入される。
【００２６】
光コネクタアダプタ３の内壁面と光コネクタプラグ２の外壁面との間に離脱防止部２０が挿入された状態では、ツマミ８をプラグハウジング７に対して後側にスライドさせても、弾性ラッチ部１２がアダプタハウジング１１側に動くことが離脱防止部２０によって規制される。従って、弾性ラッチ部１２とプラグハウジング７との係止を解除することはできない。これにより、光コネクタプラグ２を光コネクタアダプタ３から離脱させることができない。
【００２７】
離脱防止部２０は、光コネクタアダプタ３の内壁面と光コネクタプラグ２の外壁面との間から離脱防止部２０が抜け出るときに、光コネクタプラグ２に当接するストッパ片２３を有している。ストッパ片２３は、情報表示部２１の反対側から情報表示部２１側に向かって延びていると共に、離脱防止部２０の裏面側に突出している。離脱防止部２０の裏面は、離脱防止部２０における光コネクタプラグ２の外壁面と接触する面である。
【００２８】
光コネクタアダプタ３の内壁面と光コネクタプラグ２の外壁面との間に離脱防止部２０が挿入された状態では、ストッパ片２３は、図６に示されるように、光コネクタアダプタ３の弾性ラッチ部１２と光コネクタプラグ２のツマミ８との隙間Ｓに入り込む。そして、光コネクタアダプタ３の内壁面と光コネクタプラグ２の外壁面との間から離脱防止部２０が抜け出るときに、ストッパ片２３の先端部がツマミ８に当接する。
【００２９】
ストッパ片２３の先端部におけるツマミ８と当接する領域には、曲面部２３ａが形成されている。光コネクタアダプタ３の内壁面と光コネクタプラグ２の外壁面との間から離脱防止部２０が抜け出るときには、ストッパ片２３の曲面部２３ａがツマミ８を乗り上がる。
【００３０】
なお、離脱防止部２０はストッパ片２３を有しているが、光コネクタアダプタ３の内壁面と光コネクタプラグ２の外壁面との間から離脱防止部２０が抜け出るときに、光コネクタプラグ２に当接するストッパとしては、突起状等であってもよい。
【００３１】
情報表示部２１は、離脱防止部２０の一端側に配置されるように離脱防止部２０と一体化されている。情報表示部２１は、光コネクタプラグ２に関する情報が表示される。光コネクタプラグ２に関する情報としては、光コネクタプラグ２の接続先または光コネクタプラグ２の識別番号等の情報がある。情報表示部２１には、光コネクタプラグ２に関する情報がバーコードまたは手書きで表示されたラベルＬが貼り付けられている。なお、光コネクタプラグ２に関する情報が情報表示部２１に直接描かれてもよい。
【００３２】
情報表示部２１は、図４に示されるように、光コネクタアダプタ３の内壁面と光コネクタプラグ２の外壁面との間に離脱防止部２０が挿入されたときに、光コネクタプラグ２に沿って光コネクタプラグ２の後端部まで延びるように形成されている。情報表示部２１の厚みは、離脱防止部２０の厚みよりも大きくなっている。これにより、光コネクタ誤脱防止部材１の強度を確保することができる。
【００３３】
情報表示部２１のキャップ部２２側の端部近傍には、光コネクタアダプタ３の内壁面と光コネクタプラグ２の外壁面との間に離脱防止部２０が挿入されたときに、光コネクタプラグ２を幅方向両側から挟む２つの張出部２４が設けられている。このため、光コネクタプラグ２の側方（幅方向）への情報表示部２１の動きが２つの張出部２４によって拘束される。張出部２４は、情報表示部２１の幅方向両縁部から裏面側に張り出している。情報表示部２１の裏面は、情報表示部２１における光コネクタプラグ２の外壁面と接触する面である。なお、張出部２４の数としては、３つ以上あってもよい。
【００３４】
キャップ部２２は、情報表示部２１に対して離脱防止部２０の反対側に配置されるように情報表示部２１と一体化されている。キャップ部２２は、図７に示されるように、光コネクタアダプタ３に装着される。図７は、キャップ部２２が光コネクタアダプタ３に装着された状態を示す斜視図である。光コネクタプラグ２が光コネクタアダプタ３に嵌合されていないときは、光コネクタアダプタ３に対する光コネクタ誤脱防止部材１の向きを反対にした状態で、光コネクタアダプタ３にキャップ部２２を装着する。
【００３５】
キャップ部２２は、光コネクタアダプタ３と嵌合するキャップ本体２５と、このキャップ本体２５と一体化された取っ手２６とを有している。取っ手２６は、切断部２７を介して情報表示部２１と一体化されている。光コネクタ誤脱防止部材１としてキャップ部２２のみを使用する状況になった場合には、切断部２７を切断してキャップ部２２を離脱防止部２０及び情報表示部２１から分離させてもよい。キャップ部２２を離脱防止部２０及び情報表示部２１から分離させても、キャップ部２２は取っ手２６を有しているので、光コネクタアダプタ３に対するキャップ部２２の着脱を容易に行うことができる。
【００３６】
図８は、光コネクタ誤脱防止部材１が使用される形態の一つとして光コネクタユニットを示す斜視図である。図８において、光コネクタユニット３０は、上下２段のアダプタモジュール３１と、複数（ここでは９つ）の光コネクタプラグ２と、複数（ここでは９つ）の光コネクタ誤脱防止部材１とを備えている。
【００３７】
アダプタモジュール３１は、特に図示はしないが、各光コネクタプラグ２が嵌合される複数（ここでは９つ）の光コネクタアダプタと、１つの光信号を８分岐する光スプリッタと、光スプリッタと１つの光コネクタアダプタとを接続する入力用光ファイバと、光スプリッタと８つの光コネクタアダプタとを接続する出力用光ファイバとを有している。光コネクタアダプタは、下段５列及び上段４列の配列構造となっている。
【００３８】
このような光コネクタユニット３０は、例えばアダプタモジュール３１が上側に位置し、光コネクタプラグ２が下側に位置するように、集合住宅等の壁に設置される。このとき、光コネクタ誤脱防止部材１の色は全て同じでもよいし、或いは光コネクタプラグ２の接続先等に応じて光コネクタ誤脱防止部材１の色を変えてもよい。
【００３９】
以上のように本実施形態の光コネクタ誤脱防止部材１においては、光コネクタアダプタ３に光コネクタプラグ２が嵌合された状態で、光コネクタアダプタ３の内壁面と光コネクタプラグ２の外壁面との間に離脱防止部２０を挿入することにより、光コネクタアダプタ３からの光コネクタプラグ２の離脱が防止される。また、光コネクタプラグ２に関する情報が表示される情報表示部２１が離脱防止部２０の一端側に配置されるように離脱防止部２０と一体化されていることにより、光コネクタアダプタ３に光コネクタプラグ２が嵌合された状態では、情報表示部２１は光コネクタプラグ２上に位置することとなる。このため、例えば図８に示されるように、複数の光コネクタプラグ２がアダプタモジュール３１の光コネクタアダプタに嵌合されている場合でも、作業者は、本来取り外すべき光コネクタプラグ２を容易に且つ正確に把握することが可能となる。従って、本来取り外すべき光コネクタプラグ２上に位置する光コネクタ誤脱防止部材１とは異なる光コネクタ誤脱防止部材１の離脱防止部２０を、作業者が誤って光コネクタアダプタ３の内壁面と光コネクタプラグ２の外壁面との間から抜き出してしまうことが防止される。以上により、光コネクタアダプタ３からの光コネクタプラグ２の誤脱を防止することができる。
【００４０】
また、光コネクタ誤脱防止部材１は、情報表示部２１に対して離脱防止部２０の反対側に配置されるように情報表示部２１と一体化され、光コネクタアダプタ３に装着されるキャップ部２２を備えている。光コネクタプラグ２が光コネクタアダプタ３に嵌合されていないときは、光コネクタアダプタ３にキャップ部２２を装着することで、光コネクタアダプタ３内に塵等が入ることが防止される。これにより、光コネクタアダプタ３内の汚れを防ぐことができる。
【００４１】
また、離脱防止部２０は、光コネクタアダプタ３の内壁面と光コネクタプラグ２の外壁面との間から離脱防止部２０が抜け出るときに、光コネクタプラグ２に当接するストッパ片２３を有している。例えば光コネクタ誤脱防止部材１の振動または自重等によって、離脱防止部２０が光コネクタアダプタ３の内壁面と光コネクタプラグ２の外壁面との間から抜け出ようとしても、ストッパ片２３が光コネクタプラグ２に当たる。従って、離脱防止部２０が光コネクタアダプタ３の内壁面と光コネクタプラグ２の外壁面との間から容易に抜け出ることが防止される。これにより、光コネクタアダプタ３からの光コネクタプラグ２の離脱が一層防止される。
【００４２】
また、情報表示部２１には、光コネクタアダプタ３の内壁面と光コネクタプラグ２の外壁面との間に離脱防止部２０が挿入されたときに、光コネクタプラグ２を両側から挟む２つの張出部２４が設けられているので、光コネクタプラグ２の側方への情報表示部２１の動きが２つの張出部２４によって拘束される。これにより、情報表示部２１が光コネクタプラグ２に対して光コネクタプラグ２の側方へずれ動くことが防止される。
【００４３】
また、離脱防止部２０、情報表示部２１及びキャップ部２２は一体成形されているので、離脱防止部２０、情報表示部２１及びキャップ部２２を有する光コネクタ誤脱防止部材１を容易に製造することができる。
【００４４】
図９は、第２実施形態に係る光コネクタ誤脱防止部材の外観を示す斜視図である。図９において、本実施形態の光コネクタ誤脱防止部材４０は、離脱防止部２０と、情報表示部４１と、キャップ部２２とを備えている。情報表示部４１には、第１実施形態における張出部２４は設けられていない。
【００４５】
情報表示部４１には、図１０に示されるように、光コネクタプラグ２に組み付けられる光コード４を通す突起部４２が設けられている。図１０は、嵌合状態の光コネクタプラグ２及び光コネクタアダプタ３に光コネクタ誤脱防止部材４０が装着された状態を示す斜視図である。
【００４６】
突起部４２は、情報表示部４１の後端部の裏面に突設されている。なお、情報表示部４１の長手方向長さは、第１実施形態における情報表示部２１の長手方向長さよりも長くなっている。
【００４７】
突起部４２は、図１１にも示されるように、情報表示部２１の裏面側に張り出し、光コード４を挟み込む１対の挟み片４３を有している。図１１は、光コネクタ誤脱防止部材４０の正面図である。各挟み片４３の先端部には、互いに対向するテーパ面４４ａを有する爪４４が設けられている。各挟み片４３の爪４４間の間隔は、挟み片４３の先端側から基端側に向かって徐々に狭くなっている。各挟み片４３の爪４４間の最小間隔Ｐは、光コード４の横外形寸法Ｑよりも小さくなっている。これにより、光コード４が突起部４２を挿通した状態で突起部４２に保持されることが可能となる。
【００４８】
光コード４を突起部４２に通すときは、光コード４を各挟み片４３の爪４４のテーパ面４４ａに当てた状態で、光コード４を挟み片４３の基端側に押し込む。すると、各挟み片４３が付勢力に抗して外側に拡がることで、図１１に示されるように、光コード４が各挟み片４３間に入り込み、光コード４が突起部４２を挿通した状態となる。このように光コード４を各挟み片４３の爪４４のテーパ面４４ａに押し付けるだけで、光コネクタプラグ２に組み付けられた長い光コード４を容易に突起部４２に通すことができる。
【００４９】
このような本実施形態においては、光コネクタ誤脱防止部材４０の情報表示部４１に、光コネクタプラグ２に組み付けられた光コード４を通す突起部４２が設けられている。従って、光コネクタ誤脱防止部材４０の離脱防止部２０が光コネクタアダプタ３の内壁面と光コネクタプラグ２の外壁面との間から抜け出ても、光コネクタ誤脱防止部材４０は光コード４に保持されたままの状態となるため、光コネクタ誤脱防止部材４０が光コード４から外れることが防止される。
【００５０】
なお、光コード４を通す突起部としては、光コード４を挟み込む１対の挟み片が情報表示部４１の長手方向にずれて配置されていてもよいし、或いは筒形状等を有していてもよい。また、第１実施形態における張出部２４が情報表示部４１に設けられていてもよい。
【００５１】
以上、本発明の実施形態について説明してきたが、本発明は上記実施形態には限定されない。例えば、上記実施形態では、光コネクタプラグ２の一面側において光コネクタアダプタ３の内壁面と光コネクタプラグ２の外壁面との間に離脱防止部２０が挿入されるが、特にその形態には限られず、光コネクタプラグ２の両面側において光コネクタアダプタ３の内壁面と光コネクタプラグ２の外壁面との間に離脱防止部２０が挿入されてもよい。
【００５２】
また、上記実施形態では、光コネクタ誤脱防止部材を構成する離脱防止部、情報表示部及びキャップ部が一体成形されているが、特にその形態には限られず、離脱防止部、情報表示部及びキャップ部をそれぞれ別々に製作した後、離脱防止部、情報表示部及びキャップ部を接着剤等により一体化させてもよい。
【００５３】
さらに、本実施形態の光コネクタ誤脱防止部材は、離脱防止部、情報表示部及びキャップ部を有しているが、本発明は、離脱防止部及び情報表示部を有し、キャップ部を有しない光コネクタ誤脱防止部材にも適用可能である。
【符号の説明】
【００５４】
１…光コネクタ誤脱防止部材、２…光コネクタプラグ、３…光コネクタアダプタ、２０…離脱防止部、２１…情報表示部、２２…キャップ部、２３…ストッパ片（ストッパ）、２４…張出部、４０…光コネクタ誤脱防止部材、４１…情報表示部、４２…突起部。
【図１】
2016170312.tif 000003
【図２】
2016170312.tif 000004
【図３】
2016170312.tif 000005
【図４】
2016170312.tif 000006
【図５】
2016170312.tif 000007
【図６】
2016170312.tif 000008
【図７】
2016170312.tif 000009
【図８】
2016170312.tif 000010
【図９】
2016170312.tif 000011
【図１０】
2016170312.tif 000012
【図１１】
2016170312.tif 000013